(57)【要約】【課題】既読確認機能を実装していない複合機能装置であっても、画像ファイル送信の結果を容易に得ることができるようにする。【解決手段】Ｗｅｂページを表示可能な第１の複合機能装置からＷｅｂサーバを有する第２の複合機能装置に対して画像データを送信するシステムにおいて、画像データの送信条件を設定する手段と、前記手段にて設定された条件で、画像データを第２の複合機能装置に送信する手段と、第２の複合機能装置が情報提供可能な状態となっているかどうかを判別する手段と、前記判別手段において情報提供可能と判別された場合、第２の複合機能装置に対して、情報提供を要求する手段と、第２の複合機能装置から受け取った情報を表示する手段と、を有する第１の複合機能装置、および、前記第１の複合機能装置から要求された情報を収集し、第１の複合機能装置に返信する手段と、を有する第２の複合機能装置、を持つことを特徴とする複合機能装置システム。【選択図】        図１
2006173841.tif 000002
【特許請求の範囲】
【請求項１】
ネットワーク上の任意の複合機能装置の所定の情報を入手して表示するネットワーク表示機能を含む複数の機能を実現可能な第１の複合機能装置から、前記第１の複合機能装置に対して所定の情報を提供する第２の複合機能装置に対して画像データを送信することが可能な複合機能装置システムにおいて、
画像データの送信条件を設定するための送信条件設定手段と、
前記送信条件設定手段にて設定された条件で、画像データを第２の複合機能装置に送信するための画像データ送信手段と、
第２の複合機能装置が情報提供可能な状態となっているかどうかを判別するための情報提供状態判別手段と、
前記情報提供状態判別手段において情報提供可能と判別された場合、第２の複合機能装置に対して、情報提供を要求する情報提供要求手段と、
第２の複合機能装置から受け取った情報を表示するための情報表示手段と、
を有する第１の複合機能装置、
および、
前記第１の複合機能装置の情報提供要求手段にて要求された情報を収集し、第１の複合機能装置に返信するための情報返信手段と、
を有する第２の複合機能装置、
を持つことを特徴とする複合機能装置システム。
【請求項２】
請求項１に記載の第１の複合機能装置の情報提供状態判別手段は、第２の複合機能装置がＨＴＴＰプロトコルで通信することが可能かどうかを判別することを特徴とする複合機能装置システム。
【請求項３】
請求項１に記載の第１の複合機能装置の情報提供要求手段は、第２の複合機能装置が有するＷｅｂページのＵＲＬを指定することによって、第２の複合機能装置が有するＷｅｂページの情報を要求することを特徴とする複合機能装置システム。
【請求項４】
請求項１に記載の第１の複合機能装置の情報表示手段は、Ｗｅｂブラウザであることを特徴とする複合機能装置システム。
【請求項５】
ネットワーク上の任意の複合機能装置の所定の情報を入手して表示するネットワーク表示機能を含む複数の機能を実現可能な第１の複合機能装置から、前記第１の複合機能装置に対して所定の情報を提供する第２の複合機能装置に対して画像データを送信することが可能な複合機能装置システムにおいて、
画像データの送信条件を設定するための送信条件設定手段と、
前記送信条件設定手段にて、電子メールによる送信が指定された場合、第２の複合機能装置にて既読確認（Ｍｅｓｓａｇｅ  Ｄｉｓｐｏｓｉｔｉｏｎ  Ｎｏｔｉｆｉｃａｔｉｏｎ）が使用可能かどうかを判別する既読確認判別手段と、
前記既読確認判別手段で既読確認が使用可能であると判別された場合は、既読確認要求付きの電子メールにて、画像データを第２の複合機能装置に送信するための既読確認要求付き画像データ送信手段と、
前記既読確認判別手段で既読確認が使用可能ではないと判別された場合は、既読確認要求なしの画像データを送信するための既読確認要求なし画像データ送信手段と、
第２の複合機能装置が情報提供可能な状態となっているかどうかを判別するための情報提供状態判別手段と、
前記情報提供状態判別手段において情報提供可能と判別された場合、第２の複合機能装置に対して、情報提供を要求する情報提供要求手段と、
第２の複合機能装置から受け取った情報を表示するための情報表示手段と、
を有する第１の複合機能装置、
および、
前記第１の複合機能装置から既読確認要求付き画像データが送信されてきた場合、既読確認を返信するための既読確認返信手段と、
前記第１の複合機能装置から既読確認要求なし画像データが送信されてきた場合、前記第１の複合機能装置の情報提供要求手段にて要求された情報を収集し、第１の複合機能装置に返信するための情報返信手段と、
を有する第２の複合機能装置、
を持つことを特徴とする複合機能装置システム。
【請求項６】
請求項５に記載の第１の複合機能装置の既読確認判別手段は、第１の複合機能装置内に有する既読確認可能複合機能装置情報一覧データベースを検索することによって、既読確認が行えるかどうかを判別することを特徴とする複合機能装置システム。
【請求項７】
請求項５に記載の第１の複合機能装置の既読確認判別手段は、第２の複合機能装置に直接既読確認を返信する能力があるかどうかを問い合わせることによって、既読確認が行えるかどうかを判別することを特徴とする複合機能装置システム。
【請求項８】
請求項５に記載の第１の複合機能装置の既読確認判別手段は、第２の複合機能装置にテストメールを送信し、第２の複合機能装置からの返信を待つことによって、既読確認が行えるかどうかを判別することを特徴とする複合機能装置システム。
【発明の詳細な説明】
【技術分野】
【０００１】
本発明は、ネットワークに接続可能な複合機能装置であって、該ネットワーク上の指定された機器における所定の情報を入手して表示するネットワーク表示機能を含む複数の機能を実現可能な複合機能装置が複数存在する複合機能装置システムに関するものである。
【背景技術】
【０００２】
近年、デジタル複写機をベースにして多数の機能が付加された複合機能装置が実用化されている。すなわち、デジタル複写機に元来備えられているスキャナ、プリンタを使用する「ファクシミリ通信」、プリンタを使用して、コンピュータから送られたコードデータをビットマップデータに展開してプリントアウトを行う「プリント機能」、スキャナを使用して、スキャナから読み込んだ画像ファイルをネットワーク上に送信する「送信機能」といった機能付加が行なわれている。
【０００３】
これらの付加機能のうち「送信機能」では送信を実現する方式として、画像ファイル付き電子メールを使用する方法、ＦＴＰ（Ｆｉｌｅ  Ｔｒａｎｓｆｅｒ  Ｐｒｏｔｏｃｏｌ）を使用する方法、ＳＭＢ（Ｓｅｒｖｅｒ  Ｍｅｓｓａｇｅ  Ｂｌｏｃｋ）を使用する方法などが提供可能である。
【０００４】
ここで、複合機能装置間で送信機能を実行した場合について考えてみる。送信側の複合機能装置が上記送信実現手段にて画像ファイルを送信した場合、通信プロトコル上の送信成功・送信失敗を検知することは可能であるが、受信側の複合機能装置が画像データを受信した後の後処理（例えば、プリント、指定された記憶領域への格納など）の成功・失敗を検知することはできなかった。
【０００５】
ただし、電子メール通信においてのみは、既読確認を行うための技術が提案されており、ＲＦＣ２２９８に記載されている。
【０００６】
ＲＦＣ２２９８によれば、送信側のＵＡ（ｍａｉｌ  ｕｓｅｒ  ａｇｅｎｔ）と受信側ＵＡは次のように動作することにより、既読確認（Ｍｅｓｓａｇｅ  Ｄｉｓｐｏｓｉｔｉｏｎ  Ｎｏｔｉｆｉｃａｔｉｏｎ、以下単にＭＤＮと称す）が実現される。
【０００７】
（１）送信側ＵＡは、既読確認を行う場合、“Ｄｉｓｐｏｓｉｔｉｏｎ−Ｎｏｔｉｆｉｃａｔｉｏｎ−Ｔｏ：＜返信メールアドレス＞”をメールのヘッダに付加してメールを送信する。
【０００８】
（２）受信側のＵＡは、このメールを受信したら、送信者が既読確認を要求している事を表示し、送信者に既読確認の返信メールを送るかどうかを問い合わせ、返信メールを送る場合は、既読確認用のヘッダを付加して返信メールを送信し、返信メールを送らない場合は、このヘッダを無視する。
【０００９】
（３）送信側のＵＡは、既読確認の返信メールを受信したら、既読確認済みのメールを表示する。
【００１０】
このＲＦＣ２２９８を利用することによって、受信側の複合機能装置から送信側の複合機能装置へ前記後処理を含めた処理結果を送信することが可能となる（例えば、特許文献１参照）。
【００１１】
一方、複合機能装置における、他の付加機能として、Ｗｅｂサーバ機能が存在する。これは、Ｗｅｂサーバを複合機能装置内部に同梱し、その複合機能装置固有のＵＲＬを持つことにより、ネットワーク上の情報処理装置のＷｅｂブラウザから、複合機能装置の状態や複合機能装置内のジョブ情報を表示したりする機能を提供するものである。
【００１２】
さらに、複合機能装置の操作パネルは大型化してきており、スキャナ、プリンタを利用した機能の操作設定だけでなく、その操作画面で、ネットワーク上のリモート機器の操作や状態の監視を行うための表示や、ブラウザ表示によるＷｅｂコンテンツを表示することが十分可能になっている。
【特許文献１】特開２００２−０１６７５１号公報
【発明の開示】
【発明が解決しようとする課題】
【００１３】
上記従来例でも述べた通り、送信側の複合機能装置では、送信側・受信側の複合機能装置がＲＦＣ２２９８による既読確認機能を実装している場合を除き、上記送信実現手段よる画像ファイル送信時に、通信プロトコル上の送信成功・送信失敗を検知することのみが可能であった。
【００１４】
即ち、送信側の複合機能装置では、受信側の複合機能装置での後処理までを含めた送信処理全体の成功・失敗を検知することはできない、という問題点があった。
【００１５】
本出願に係る発明の目的は、上記問題点を解決するためになされたもので、既読確認機能を実装していない複合機能装置であっても、画像ファイル送信の結果を容易に得ることができる複合機能装置を提供することを目的とする。
【課題を解決するための手段】
【００１６】
上述した課題を解決するために、本発明は、ネットワーク上の任意の複合機能装置の所定の情報を入手して表示するネットワーク表示機能を含む複数の機能を実現可能な第１の複合機能装置から、前記第１の複合機能装置に対して所定の情報を提供する第２の複合機能装置に対して画像データを送信することが可能な複合機能装置システムにおいて、画像データの送信条件を設定するための送信条件設定手段と、前記送信条件設定手段にて設定された条件で、画像データを第２の複合機能装置に送信するための画像データ送信手段と、第２の複合機能装置が情報提供可能な状態となっているかどうかを判別するための情報提供状態判別手段と、前記情報提供状態判別手段において情報提供可能と判別された場合、第２の複合機能装置に対して、情報提供を要求する情報提供要求手段と、第２の複合機能装置から受け取った情報を表示するための情報表示手段と、を有する第１の複合機能装置、および、前記第１の複合機能装置の情報提供要求手段にて要求された情報を収集し、第１の複合機能装置に返信するための情報返信手段と、を有する第２の複合機能装置、を持つことを特徴とする。
【発明の効果】
【００１７】
本発明によれば、送信側の複合機能装置は、受信側の複合機能装置が内蔵するＷｅｂサーバ機能を利用して既読確認を行うため、既読確認結果を複合機能装置上で表示させるための複雑なソフトウェアを設計しなくても済むようになる、という効果がある。
【００１８】
また、複合機能装置の構成が変更されるたびに複合機能装置のソフトウェアも新たに設計する必要がなくなる、という効果もある。
【００１９】
さらに、既読確認用機能を実装していない機器との間でも送信・印刷完了を検知できる、という効果もある。
【００２０】
さらに、ＲＦＣ２２９８による既読確認は、電子メール送信の既読確認のみが可能であったが、ＦＴＰ、ＳＭＢなどを使った送信の場合も既読確認ができるようになる、という効果もある。
【００２１】
さらに、送信側の複合機能装置は、受信側の複合機能装置での後処理までを含めた送信処理全体の成功・失敗を検知することができるようになる、という効果もある。
【００２２】
さらに、送信側の複合機能装置のユーザは送信側の複合機能装置の前に居ながらにして、受信側の複合機能装置の処理結果を確認することが可能となる。このため、送信側の複合機能装置と受信側の複合機能装置との間の行き来などによって生じるユーザ負荷を軽減させることが可能となる、という効果もある。
【発明を実施するための最良の形態】
【００２３】
以下本発明を実施するための最良の形態を、実施例により詳しく説明する。
【実施例１】
【００２４】
以下、本発明の第１の実施例について、図面を参照して説明する。
【００２５】
本実施例では、送信側の複合機能装置が受信側の複合機能装置に画像ファイルを送信した場合の動作について説明する。
【００２６】
本実施の形態では、複合機能装置としてデータ送信機能を有する複写機を説明する。
【００２７】
ネットワーク構成図
複写機１０１は、図１に示すように、複写機１０１と同等の機能を持つ複写機１０２、ファクシミリ装置１０３、データベース／メールサーバ１０４、クライアントコンピュータ１０５とともに、イーサネット(登録商標)などからなるＬＡＮ１０６に収容されている。また、ファクシミリ１０７とともに公衆回線１０８に収容されている。複写機１０１は、コピー機能、ファクシミリ機能を有するとともに、原稿画像を読み取り、該読み取った画像データをＬＡＮ１０６上の各装置に送信するデータ送信機能を有する。また、ＰＤＬ機能を有するので、ＬＡＮ１０６上に接続されているコンピュータから指示されたＰＤＬ画像を受信して印刷することが可能である。複写機１０１は、複写機１０１で読み取った画像や、ＬＡＮ１０６上に接続されているコンピュータから指示されたＰＤＬ画像を、後述するハードディスク２０４の指定したボックス領域に保存することが可能であり、ボックス領域に保存された画像を印刷することが可能になっている。
【００２８】
複写機１０１は、ＬＡＮ１０６を介して複写機１０２が読み取ったデータを受信し、受信したデータを複写機１０１内のハードディスク２０４に保存／印刷出力することが可能である。また、クライアントコンピュータ１０５とＬＡＮ１０６を介してデータベースサーバ１０４の画像を受信し、複写機１０１内に保存／印刷出力することが可能である。
【００２９】
ファクシミリ１０３は、ＬＡＮ１０６を介して複写機１０１が読み取ったデータを受信し、該受信したデータを送信することが可能である。
【００３０】
データベース／メールサーバ／１０４は、ＬＡＮ１０６を介して複写機１０１が読み取ったデータを受信し、データベースに格納し、電子メールとして送信する機能を有するサーバ装置である。
【００３１】
クライアントコンピュータ１０５は、データベース／メールサーバ１０４に接続され、データベース／メールサーバ１０４から所望のデータ取得して表示することが可能であるとともに、ＬＡＮ１０６を介して複写機１０１が読み取ったデータを受信し、受信したデータを加工、編集することが可能である。
【００３２】
ファクシミリ１０７は、公衆回線１０８を介して複写機１０１が読み取ったデータを受信し、受信したデータを印刷出力することが可能である。
【００３３】
主要構成ブロック図
図２は、本実施例の主要部構成を示すブロック図である。
【００３４】
コントローラユニット２００は、画像入力デバイスであるスキャナ２１４や画像出力デバイスであるプリンタ２１５を接続し、スキャナ２１４で読み取られた画像データをプリンタ２１５により印刷出力するコピー機能を実現するための制御を行うとともに、ＬＡＮ１０６や公衆回線１０８（ＷＡＮ）に接続することによって、画像情報やデバイス情報の入出力を行うための制御を行う。
【００３５】
コントローラユニット２００は、具体的には、ＣＰＵ２０１を有し、ＣＰＵ２０１は、ＲＯＭ２０３に格納されているブートプログラムによりオペレーションシステム（ＯＳ）を立ち上げ、このＯＳ上でＨＤＤ（ハードディスクドライブ）２０４に格納されているアプリケーションプログラムを実行することによって各種処理を実行する。このＣＰＵ２０１の作業領域としてはＲＡＭ２０２が用いられる。ＲＡＭ２０２は、作業領域とともに、画像データを一時記憶するための画像メモリ領域を提供する。ＨＤＤ２０４は、上記アプリケーションプログラムとともに、画像データを格納する。
【００３６】
ＣＰＵ２０１には、システムバス２０９を介して、ＲＯＭ２０３およびＲＡＭ２０２とともに、操作部Ｉ／Ｆ（操作部インタフェース）２０６、ネットワークＩ／Ｆ（ネットワークインタフェース）２０７、モデム２０８およびイメージバスＩ／Ｆ（イメージインタフェース）２０５が接続されている。
【００３７】
操作部Ｉ／Ｆ２０６は、タッチパネルを有する操作部２１０とのインターフェースであり、操作部２１０に表示する画像データを操作部２１０に対して出力する。また、操作部Ｉ／Ｆ２０６は、操作部２１０においてユーザにより入力された情報をＣＰＵ２０１に送出する。
【００３８】
次に、ネットワークＩ／Ｆ２０７は、ＬＡＮ１０６に接続され、ＬＡＮ１０６を介してＬＡＮ１０６上の各装置との間で情報の入出力を行う。モデム２０８は、公衆回線１０８に接続され、公衆回線１０８を介して情報の入出力を行う。
【００３９】
イメージバスＩ／Ｆ２０５は、システムバス２０９と画像データを高速で転送する画像バス２１１を接続し、データ構造を変換するためのバスブリッジである。画像バス２１１は、ＰＣＩバスまたはＩＥＥＥ１３９４から構成される。画像バス２１１上には、ラスタイメージプロセッサ（以下、ＲＩＰという）２１２、デバイスＩ／Ｆ２１３、スキャナ画像処理部２１６、プリンタ画像処理部２１７、画像回転部２１８および画像圧縮部２１９が設けられている。ＲＩＰ２１２は、ＰＤＬコードをビットマップイメージに展開するプロセッサである。デバイスＩ／Ｆ２１３には、スキャナ２１４およびプリンタ２１５が接続され、デバイスＩ／Ｆ２１３は、画像データの同期系／非同期系の変換を行う。スキャナ画像処理部２１６は、入力画像データに対し補正、加工、編集を行う。プリンタ画像処理部２１７は、プリント出力画像データに対してプリンタの補正、解像度変換などを行う。画像回転部２１８は、画像データの回転を行う。画像圧縮部２１９は、多値画像データをＪＰＥＧデータに、２値画像データをＪＢＩＧ、ＭＭＲ、ＭＨなどのデータに圧縮するとともに、その伸張処理を行う。
【００４０】
操作部外観
次に、操作部２１０の構成を図３に示す。ＬＣＤ表示部３０１は、ＬＣＤ上にタッチパネルシートが貼られており、システムの操作画面を表示するとともに、表示してあるキーが押されるとその位置情報をコントローラＣＰＵ２０１に伝える。スタートキー３０２は原稿画像の読み取り動作を開始する時などに用いる。スタートキー３０２中央部には、緑と赤の２色ＬＥＤ３０６があり、その色によってスタートキー３０２が使える状態にあるかどうかを示す。ストップキー３０３は稼働中の動作を止める働きをする。ＩＤキー３０４は、使用者のユーザＩＤを入力する時に用いる。リセットキー３０５は操作部からの設定を初期化する時に用いる。
【００４１】
送信画面例
図４は、操作部２１０のＬＣＤ表示部３０１内に表示する画像ファイルの送信画面の例である。
【００４２】
本図において、４００は画像ファイル送信画面そのものである。
【００４３】
送信先表示部４０１は後述するアドレス帳４０２または送信先入力部４０３によって入力された画像ファイルの送信先を表示する。
【００４４】
４０２はアドレス帳である。アドレス帳４０２に登録されているアドレスから画像ファイルの送信先を選択することによって、複写機のユーザは画像ファイルの送信先を容易に指定することができる。
【００４５】
４０３は送信先入力部である。押下することで、ソフトキーボードが表示され、画像ファイルの送信先を入力することができる。主に、上記アドレス４０２に登録されていない送信先に送信する場合に利用する。
【００４６】
画像書式指定部４０４はＪＰＥＧ、ＪＢＩＧなどの各種画像フォーマットを指定したり、画像の解像度を指定したりする。
【００４７】
送信方法指定部４０５は電子メール、ＦＴＰ、ＳＭＢなどの通信プロトコルの中からどのような送信方法で画像ファイルを送信するかを指定する。
【００４８】
スキャナ２１４に送信原稿をセットし、４００、４０４、４０５を正しく設定した後、スタートキー３０２を押下すると、スキャンした送信原稿を画像書式指定部４０４の設定値に従って画像ファイルに変換し、送信方法指定部４０５の設定値に従った送信方法で、送信先表示部４０１に表示された送信先に送信する。
【００４９】
送信結果確認部４０６は画像ファイルの送信処理結果を確認するためのボタンである。本ボタンを押下すると、画像ファイルを受信した複写機が後処理まで含めた送信処理全体を正しく処理したかどうかを検知することができる。
【００５０】
送信結果確認部４０６を押下した場合の動作については、後にフローチャートを用いて詳細に説明する。
【００５１】
ブラウザ画面例
図５は、操作部２１０のＬＣＤ表示部３０１内に表示するブラウザ画面の例である。
【００５２】
ＵＲＬ入力部５０１はＵＲＬを指定してページを開くときにこのフィールドを押下する。押下することで、ユーザがＵＲＬを指定できるよう管理者の権限で設定を行うこともできる。
【００５３】
お気に入りキー５０２は、ＵＲＬを登録、整理、表示を行うことができる。
５０３の表示領域はコンテンツの表示領域である。
【００５４】
戻るキー５０４はページを１つ前に戻すキーである。進むキー５０５はページを１つ進めるキーである。
【００５５】
更新キー５０６は現在表示しているページを再度ロードして表示するキーである。中止キー５０７はページの読み込みを中止するキーである。ホームキー５０８は設定されているホームページに移動するキーである。
【００５６】
印刷キー５０９は現在表示しているページを印刷するキーである。このボタンを押下すると、図示しない印刷設定ダイアログが表示され、印刷設定ダイアログには、フレームをどのように印刷するかの設定、印刷に関する設定（部数、両面、ソートなど）の画面が表示され、この画面内の印刷スタートボタンを押下することで印刷を開始する。
【００５７】
メニューキー５１０は画面の表示倍率の変更、文字サイズの変更、文字コードの変更などの画面を表示するキーである。
【００５８】
送信処理の例
図６は、複写機１０１から複写機１０２に対して画像ファイルを送信する際の動作について説明したフローチャートである。これら一連の処理の判断と実行は、ハードウェア的には複合機１０１内部のＣＰＵ２０１によって行われる。
【００５９】
さて、複写機１０１のユーザが、複写機１０１から複写機１０２に対して画像ファイルを送信する場合、複写機１０１はステップＳ６０１を実行する。
【００６０】
ステップＳ６０１で、複写機１０１は、下記ステップにおいて送信先が確定されるまで送信結果確認部４０６を無効化する。
【００６１】
次にステップＳ６０２において、ユーザは、複写機１０１のアドレス帳４０２、送信先入力部４０３、画像書式指定部４０４、送信方法指定部４０５を操作し、送信条件を設定する。また、スキャナ２１４から画像原稿を読み込み、複写機１０２に送信する画像ファイルを作成する。
【００６２】
ステップＳ６０３で、ユーザは複写機１０１のスタートキー３０２を押下する。複写機１０１はステップＳ６０２で設定した送信条件に従って、画像ファイル送信要求を発行する。
【００６３】
複写機１０２は、ステップＳ６０３にて複写機１０１から送信された画像ファイルをステップＳ６０４で受信すると、ステップＳ６０５にて、受信後の処理を実行する。
【００６４】
受信後の処理の例としては、
・プリンタ２１５による印刷
・ハードディスク２０４の指定したボックス領域に保存
などが、考えられるが、これに限定されるものではない。
【００６５】
次にステップＳ６０６では、Ｓ６０５にて実行した受信後の処理をハードディスク２０４の履歴格納領域に保存する。
【００６６】
図７は、ステップＳ６０６にて保存される履歴の例である。
【００６７】
複写機１０２にてＳ６０５が実行されると、履歴一覧７００に履歴が１行追加される。追加される項目は、受信番号７０１、通信プロトコル７０２、通信相手先７０３、受信開始日時７０４、処理終了日時７０５、結果７０６である。
【００６８】
なお、本実施例では７０１から７０６を履歴一覧７００に保存したが、他の項目（例えば処理の詳細など）を保存してもよい。また、７０１から７０６の一部が欠けていてもよい。
【００６９】
図６に戻って説明を続ける。
【００７０】
ステップＳ６０４からステップＳ６０６にて複写機１０２が受信処理を実行している間、複写機１０１では、ステップＳ６０３に引き続いてステップＳ６０７を実行する。
【００７１】
ステップＳ６０７では、複写機１０１は、複写機１０２がＨＴＴＰで通信可能かどうかを調べる。
【００７２】
複写機１０２がＨＴＴＰ通信可能である、と判断された場合は、ステップＳ６０８に進む。
【００７３】
複写機１０２がＨＴＴＰ通信不可能である、と判断された場合は、本フローチャートを終了する。
【００７４】
さて、本ステップの詳細を図８のフローチャートにて説明する。
【００７５】
図８のステップＳ８０１では、複写機１０１が複写機１０２とＨＴＴＰプロトコルで通信するためのポート（通常８０番）とコネクションを確立する。
【００７６】
次に、ステップＳ８０２では、上記ステップＳ８０１にて複写機１０１が複写機１０２とコネクションが確立できたかどうかを判別する。
【００７７】
コネクションが確立できた場合は、ステップＳ８０３に進む。
【００７８】
コネクションが確立できなかった場合は、ステップＳ８０６に進む。
【００７９】
ステップＳ８０３では、ＨＴＴＰプロトコルの命令の一種であるＨＥＡＤコマンドを送信する。
【００８０】
ステップＳ８０４では、上記ステップＳ８０３にて送信されたＨＥＡＤコマンドに対する複写機１０２からの応答として、ＯＫレスポンスを受信したかどうかを判別する。
【００８１】
ＯＫレスポンスを受信できた場合は、ステップＳ８０５に進む。
【００８２】
ＯＫレスポンスを受信できなかった場合は、ステップＳ８０６に進む。
【００８３】
ステップＳ８０５では、複写機１０１と複写機１０２がＨＴＴＰプロトコルで通信可能であると判断する。
【００８４】
ステップＳ８０６では、複写機１０１と複写機１０２がＨＴＴＰプロトコルで通信不可能であると判断する。
【００８５】
以上で、本フローチャートの説明を終了する。
【００８６】
図６のフローチャートに戻って説明を続ける。
【００８７】
ステップＳ６０７にて複写機１０２がＨＴＴＰ通信可能であると判断された場合に実行されるステップＳ６０８では、ステップＳ６０１にて無効化した送信結果確認部４０６を有効化する。
【００８８】
次にステップＳ６０９では、ユーザが送信結果確認部４０６のボタンを押下する。本ボタンを押下すると、複写機１０１は複写機１０２に対して複写機１０２が持つＷｅｂページの表示要求を発行する。
【００８９】
ステップＳ６１０においてＷｅｂページ表示要求を受信すると、複写機１０２はステップＳ６１１にて、Ｗｅｂページを送信する。
【００９０】
複写機１０１は、ステップＳ６１２にて複写機１０２のＷｅｂページを受信すると、操作部２１０のコンテンツ表示領域５０３上に受信したＷｅｂページを表示する。
【００９１】
図９はコンテンツ表示領域５０３上に表示されるＷｅｂページの例である。
Ｗｅｂページ９００内には履歴９０１として、履歴一覧７００と同等の情報が表示されている。
【００９２】
複写機１０１のユーザは本Ｗｅｂページの内容を確認して、ステップＳ６０３にて実行した送信処理の結果を確認する。
以上で本フローチャートは終了する。
【実施例２】
【００９３】
以下、本発明の第２の実施例について、図面を参照して説明する。
【００９４】
本実施例では、複合機１０１が既読確認（ＭＤＮ）を使用できる場合の動作について説明する。
【００９５】
本実施例のネットワーク構成図、主要構成ブロック図、操作部外観、送信画面例、ブラウザ画面例は第１の実施例と全く同一である。
【００９６】
図１０は、既読確認を使用できる複写機１０１から複写機１０２に対して画像ファイルを送信する際の動作について説明したフローチャートである。これら一連の処理の判断と実行は、ハードウェア的には複合機１０１内部のＣＰＵ２０１によって行われる。
【００９７】
まず、ステップＳ１００１からステップＳ１００３までは、図６のステップＳ６０１からステップＳ６０３と同様であるため、説明を省略する。
【００９８】
ステップＳ１００３にて、スタートキー３０２を押下するとステップＳ１００４を実行する。
【００９９】
本ステップでは、ステップＳ１００２で指定した通信方式が電子メールであり、かつ、複写機１０２が既読確認を使用できるかどうかを確認する。
【０１００】
確認方法は以下のものが考えられるが、これに限定されるものではない。
・複写機１０１のハードディスク２０４内に既読確認可能複写機情報一覧を持ち、この中に複写機１０２の情報が含まれるかどうかを調べる。
・複写機１０２に対して、ＳＮＭＰなどのプロトコルで、既読確認可能かどうかを問い合わせる。
・複写機１０２にテストメールを送信し、既読確認応答が帰ってくるかどうかを調べる。
【０１０１】
送信方式が電子メールであり、かつ、複写機１０２が既読確認を使用できると判別された場合は、ステップＳ１００５に進む。
【０１０２】
その他の場合はステップＳ１０１２に進む。
【０１０３】
ステップＳ１００５では、複写機１０２に対して、ステップＳ１００２の送信条件で既読確認要求付きの画像ファイル送信要求を発行する。
【０１０４】
次のステップＳ１００６からステップＳ１００８までは、ステップＳ６０４からステップＳ６０６と同様であるため、説明を省略する。
【０１０５】
ステップＳ１００９は、ステップＳ１００６で受信した画像ファイルに既読確認要求が付いているかどうかを判別する。
【０１０６】
既読確認要求が付いていた場合は、ステップＳ１０１０に進む。
【０１０７】
既読確認要求が付いていない場合は、処理待ち状態に移行する。
【０１０８】
ステップＳ１０１０では、既読確認結果を複写機１０１に対して送信する。
【０１０９】
ステップＳ１０１１で、複写機１０１がステップＳ１０１０の既読確認結果を受信すると、複写機１０１のユーザはステップＳ１００３にて実行した送信処理の結果を確認する。
【０１１０】
次に、ステップＳ１０１２の説明に移る。
【０１１１】
ステップＳ１０１２では、複写機１０２に対して、ステップＳ１００２の送信条件で既読確認要求なしの画像ファイル送信要求を発行する。
【０１１２】
これ以降のステップＳ１０１３からステップＳ１０２０までは、ステップＳ６０７からステップＳ６１２までと同様であるため、説明を省略する。
【０１１３】
以上で本フローチャートは終了する。
【図面の簡単な説明】
【０１１４】
【図１】本実施例のネットワーク構成を示す図
【図２】主要構成ブロックを示す図
【図３】操作部外観を示した図
【図４】送信画面の例を示した図
【図５】ブラウザ画面の例を示した図
【図６】第１の実施例の動作を示すフローチャート
【図７】複写機内部に保存される履歴の例を示した図
【図８】複写機間でＨＴＴＰプロトコルで通信することができるかどうかを判別する際の動作を示すフローチャート
【図９】複写機が持つＷｅｂページの例を示す図
【図１０】第２の実施例の動作を示すフローチャート
【符号の説明】
【０１１５】
１０１  第１の複写機
１０２  第２の複写機
１０４  メールサーバ
２０１  ＣＰＵ
２１０  操作部
３０１  ＬＣＤ表示部
３０２  スタートキー
４００  画像ファイル送信画面
４０６  送信結果確認部
５０３  コンテンツ表示領域
７００  履歴一覧
９００  Ｗｅｂページ
【図２】
2006173841.tif 000003
【図３】
2006173841.tif 000004
【図４】
2006173841.tif 000005
【図６】
2006173841.tif 000006
【図７】
2006173841.tif 000007
【図８】
2006173841.tif 000008
【図１０】
2006173841.tif 000009
【図１】
2006173841.tif 000010
【図５】
2006173841.tif 000011
【図９】
2006173841.tif 000012